(57)【特許請求の範囲】
【請求項１】
精米機１６から糠の排出される糠排出筒５０の終端部に糠流入側の開口部を介して接続されている側面視円弧状の弧状分岐ケース６０と、該弧状分岐ケース６０における円弧状側面部６０ａの中央部に糠排出開口部６１を介してその終端部が接続されている糠排出筒５０と、前記弧状分岐ケース６０の糠排出開口部６１の左右両側部に設けられている貯溜開口部６２，取出開口部６３と、前記貯溜開口部６２に接続されている糠貯溜筒５３と、前記取出開口部６３に接続されている糠取出筒５４と、前記弧状分岐ケース６０に内装されていてその円弧状中心部に軸支されていて、その円弧面部６６がケース側の円弧状部分に接近状態で回動することのできる扇形の切替弁６４と、からなる精米装置の糠分岐装置。
【発明の詳細な説明】
【０００１】
【発明の属する技術分野】
この発明は、精米装置の精米作業中に発生した糠を糠袋に収納する経路と、客室側に取り出す経路とに分岐する糠分岐装置に関するものである。
【０００２】
【従来技術】
従来技術として、例えば、実開平５−６３６４３号公報の技術がある。この従来技術は、精米装置の精米作業中に発生した糠を圧風により糠排出筒に取り出し、糠排出筒の終端側の分岐部に板状の切替弁を設けて、糠袋に収納する経路と、客室側に取り出す経路とに分岐する構成であつた。
【０００３】
【発明が解決しようとする問題点】
前記従来技術は、単なる板状の切替弁で糠を分岐する構成であるので、分岐部から糠が漏れ、客室側に新鮮な糠を取り出すことができないという不具合があった。そこで、この発明はこのような不具合を解消しようとするものである。
【０００４】
【問題を解決するための手段】
このような技術的課題を解決するための請求項１発明の技術構成は、精米機１６から糠の排出される糠排出筒５０の終端部に糠流入側の開口部を介して接続されている側面視円弧状の弧状分岐ケース６０と、該弧状分岐ケース６０における円弧状側面部６０ａの中央部に糠排出開口部６１を介してその終端部が接続されている糠排出筒５０と、前記弧状分岐ケース６０の糠排出開口部６１の左右両側部に設けられている貯溜開口部６２，取出開口部６３と、前記貯溜開口部６２に接続されている糠貯溜筒５３と、前記取出開口部６３に接続されている糠取出筒５４と、前記弧状分岐ケース６０に内装されていてその円弧状中心部に軸支されていて、その円弧面部６６がケース側の円弧状部分に接近状態で回動することのできる扇形の切替弁６４と、からなる精米装置の糠分岐装置の構成とした。
【０００５】
【０００６】
【作用】
【０００７】
【０００８】
請求項１発明の作用は次のとおりである。切替弁６４を図９矢印で示すように正逆方向に回動させると、糠排出筒５０から弧状分岐ケース６０に送られた糠は、切替弁６４により一方の貯溜開口部６２を閉鎖して、他方の糠取出開口部６３を経て糠取出筒５４を経由して客室側に取り出されたり、あるいは、他方の糠取出開口部６３を閉鎖して、一方の糠貯溜開口部６２，糠貯溜筒５３を経由して糠袋に取り出される。
【０００９】
【発明の効果】
【００１０】
請求項１発明は、前記のように弧状分岐ケース６０の円弧状側壁と切替弁６４の円弧面部６６を近接対向配置することにより密閉状態が良くなり、糠の漏れを少なくし、糠取出筒５４を経て新鮮な糠を客室側に取り出すことができる。
【００１１】
【発明の実施の形態】
以下、図面に示すこの発明の実施例について説明する。まず、図１乃至図３により自動精米装置の全体構成について説明する。自動精米装置を設置する建家１は、仕切壁２で客室３と機械室４とに仕切られており、客室３の一側部には、玄米を投入する投入ホッパ５を配置し、投入ホッパ５の底部にはロ−タリバルブ７を配置している。
【００１２】
前記機械室４内には、前記供給ラセン７で送られてきた穀粒を受けて揚穀する石抜き昇降機８を配置し、石抜き昇降機８で揚穀された穀粒は石抜き機１４に送られる構成である。しかして、石抜き機１４に供給された混合米は石抜き選別されて、精米昇降機１５を経て精米機１６に供給され、精米機１６で精白される。精白された白米は白米タンク１７を経て客室３に取り出され、また、精米中に除去された糠は糠袋取出サイクロン１８に送られ、糠ラセン筒１９を経て機外に取り出されたり、あるいは、中途部で分岐されて客室取出サイクロン１８ａを経て客室３側の糠取出ホッパ５１に取り出しできる構成である。
【００１３】
次ぎに、図３により自動精米装置の操作装置について説明する。操作盤３６のボックスには、紙幣を識別するビルバリデータ３１、投入コインを識別し釣銭を自動補給するコインメック３２、コイン投入口３３、投入料金等を表示する料金表示部３４、釣銭を返却する返却口３５が設けられている。また、操作盤３６には、もち選択スイッチ２３，上白精白スイッチ２４，標準精白スイッチ２５，８分精白スイッチ２６が設けられており、そのそばには操作手順書も設けられている。
【００１４】
次ぎに、図４により制御部２０のブロック構成について説明する。ＣＰＵ内臓の制御部２０には、入力インターフェイスを経由して、自動・手動切替スイッチ２１、コインメックヘの投入金額を検出するコインセンサ２２、もち選択スイッチ２３、上白精白スイッチ２４、標準精白スイッチ２５、８分精白スイッチ２６、前記投入ホッパ５への穀粒投入の有無を検出するロータリバルブセンサ２９、精米機１６の回転を検出する精米回転センサ３０、精米機モータ３９の負荷電流値を検出する精米機負荷電流センサ４３、玄米タンク３８の穀粒の有無を検出する玄米センサ４２等が接続されている。
【００１５】
また、制御部２０から出力インターフェイスを経て、精米機モータ３９、石抜き機モータ４４、石抜き昇降機モータ４５、ロ−タリバルブ６、精米機１６の精白度を調節する白度調節モータ４６、石抜き機１４の石排出シャッタ３７を開閉する駆動手段４７、故障表示灯４８、精米作業中であることを表示する精米作業表示灯４８、もち選択を表示するもち選択ランプ２３ａ、上白選択を表示する上白選択ランプ２４ａ、標準精白選択を表示する標準選択ランプ２５ａ、８分精白を選択する８分選択ランプ２６ａ、営業中を表示する営業表示ランプ４９等が接続されている。
【００１６】
次ぎに、精白作業の自動運転のしかたを説明する。例えば、コインメック３２に１００円コインを投入すると、料金表示部３４に１００円と表示される。次いで、利用者が玄米を投入ホッパ５に入れ、利用者が上白精白スイッチ２４を押すと、玄米精白作業状態及び上白精白状態に変更調節され、次いで、精米作業が開始される。すると、石抜き機１４が運転を開始し、以後順次石抜き昇降機８及び精米昇降機１５の駆動、精米機１６の駆動、ロ−タリバルブ７の順で駆動され、精米作業が開始される。
【００１７】
しかして、投入ホッパ５の玄米がロ−タリバルブ７で繰り出され、石抜き昇降機８を通過し、石抜き機１４で石抜き選別され、次いで、精米昇降機１５で揚穀されて精米機１７に供給されて精白され、精白後の白米は白米タンク１７から取り出される。また、所定時間後に運転時間が終了すると、まず、ロ−タリバルブ７が停止し、次いで、精米昇降機１５が停止し、次いで、精米機１６，石抜き機１４が停止し、次いで、石抜き機１４の石排出シャッタ３７を閉状態から所定時間開調節後閉調節し、全体が停止される。
【００１８】
次に、図５乃至図８に示す実施例について説明する。この実施例は、自動精米装置において、精米作業中に発生し糠排出筒５０に取り出された糠を、糠袋取出サイクロン１８，糠ラセン筒１９を経由して糠袋に収納される経路と、客室取出サイクロン１８ａ、糠シュ−ト１８ｂを経て客室３側の糠取出ホッパ５１とに取り出しできるように分岐し、糠を切り替えて移送する分岐構成に関するものである。
【００１９】
図５に示すように、精米機１６から取り出された糠は糠排出筒５０から円筒状の分岐ケース５２に送られる構成とし、分岐ケース５２には３個の開口部が円周方向に等間隔に配置されていて、第１の開口部に糠排出筒５０の終端部を接続し、第２の開口部に糠貯溜筒５３の始端側を接続して、糠貯溜筒５３の終端側は糠袋取出サイクロン１８，糠ラセン筒１９を経由して糠袋に連通しており、また、第３の開口部に糠取出筒５４の始端側を接続し、糠取出筒５４の終端側は客室取出サイクロン１８ａ、及び糠シュ−ト１８ｂを経由して糠取出ホッパ５１に連通している。分岐ケース５２の中心部には内側分岐筒５５が軸５６を介して回転自在に支持されていて、内側分岐筒５５には円周方向に分岐開口部が所定間隔を隔てて一対構成されている。しかして、内側分岐筒５５を正転すると、一方の分岐開口部５５ａが分岐ケース５２側の糠排出開口部を経由して糠排出筒５０に連通すると共に、他方の分岐開口部５５ｂが糠貯溜筒５３に連通する状態となったり、あるいは、内側分岐筒５５を逆転すると、他方の分岐開口部５５ｂが分岐ケース５２側の糠排出開口部を経由して糠排出筒５０に連通すると共に、一方の分岐開口部５５ａが糠取出筒５４に連通する状態となる構成である。
【００２０】
内側分岐筒５５の一端部には、カップリング５７を介してモータ５８の原動軸５８ａを連結し、モータ５８により内側分岐筒５５を正転あるいは逆転できる構成である。なお、５９は内側分岐筒５５の側壁を閉鎖する蓋である。また、内側分岐筒５５の回転位置はリミットスイッチ（図示省略）により位置検出できる構成としている。
【００２１】
従来装置は実開平５−６３６４３号公報に示すように、分岐部に単に板状の切替弁を設ける構成であるので、切替部から糠が漏れるという不具合があった。しかし、この実施例では、分岐ケース５２及び内側分岐筒５５の円弧状部とが比較的長く近接対応し良好な密閉状態とし、糠漏れを防止できる。次に、図９に基づき糠の分岐構成の他の実施例について説明する。
【００２２】
側面視円弧状の弧状分岐ケース６０を構成し、弧状分岐ケース６０の円弧状側面部６０ａの中央部に糠排出開口部６１を設けて、糠排出筒５０の終端側を接続し、弧状分岐ケース６０の糠排出開口部６１の左右両側部には、夫れ夫れ貯溜開口部６２，取出開口部６３を設けて、糠貯溜筒５３，糠取出筒５４の始端側を夫れ夫れ接続している。
【００２３】
切替弁６４は、軸支部６５，軸支部６５から離れた位置にあつて弧状分岐ケース６０の円弧状側壁に接近して回動する円弧面部６６により構成され、この実施例では中空状（あるいはむく）に構成されている。この切替弁６４を図９の矢印の正逆両方向に回動させることにより、糠排出筒５０から弧状分岐ケース６０に送られた糠は、切替弁６４により一方の貯溜開口部６２を閉鎖して、他方の糠取出開口部６３を経て糠取出筒５４，客室取出サイクロン１８ａを経由して糠取出ホッパ５１に送ったり、あるいは、他方の糠取出開口部６３を閉鎖して、一方の糠貯溜開口部６２を経て糠貯溜筒５３に送り、更に、客室取出サイクロン１８ａを経て客室３側の糠取出ホッパ５１に送ることができる。
【００２４】
前記のように、弧状分岐ケース６０の円弧状側壁と切替弁６４の円弧面部６６を近接対向配置することにより密閉状態が良くなり、糠の漏れを少なくし、また、弧状分岐ケース６０内の糠及び風の流れが滑らかとなり、圧力損失も少なくなり、糠の移送が効率化する。次に、図１０に示す実施例について説明する。
【００２５】
この実施例は、自動精米装置において、精米機１６から排出された糠を円滑に糠袋６７に収納しようとするものである。糠排出筒５０に排出された糠は糠袋取出サイクロン１８に送られて、下部排出口から糠ラセン筒１９の始端側に流下し、順次終端側に送られ、糠ラセン筒１９の始端側及び終端側に設けられている糠流下筒６８，６８から糠袋６７に糠が取り出され貯溜される構成である。
【００２６】
糠流下筒１６８の外側（あるいは内側）に沿ってセンサパイプ６９が取り付けられており、センサパイプ６９には、例えば、反射式赤外線センサ６９ａを取り付け、糠袋６７への糠の溜り状態を非接触状態で検出する構成とし、糠が満杯になると、糠流下筒６８の開口部を閉鎖し、他の糠袋６７に切り替えて糠を収納する構成である。
【００２７】
従来装置にあつては、圧力センサにより糠の押圧力により検出する構成であるため、糠の加湿等により誤作動をすることがあつたが、この実施例にあつては非接触状態で検出するため誤作動を少なくし正確な満杯検出をすることができる。次に、図１１及び図１２に示す実施例について説明する。この実施例は、自動籾摺精米装置における作業料金の変更装置に関するものである。
【００２８】
作業料金の変更方法として、図１１に示すようなものが考えられる。即ち、制御部２０の出力部に変速ユニット７０を介してロ−タリバルブモータ６を駆動する構成とし、制御部２０からのロ−タリバルブモータ６への駆動出力は記憶部からメモリー時間だけを出力し、変速ユニット７０を変速することにより、例えば単位料金の１００円に対する穀粒取り込み時間を変更し穀粒処理時間を変更する方法である。
【００２９】
この方法では、変速ユニットを必要としコスト高になるという欠点がある。そこで、この実施例では、ロ−タリバルブ７の変速ユニットを必要とせず、制御部２０のソフトを変更せずに作業料金の変更をしようとするものである。図１２に示すように、制御部２０の出力部にはアクチュエータ類を接続すると共に、外部タイマ７１を介してロ−タリバルブ７駆動用のロ−タリバルブモ−タ６を接続し、制御部２０の入力部にはセンサ類，スイッチ類を接続し、また、タイマ設定スイッチ７２を入力部及び外部タイマ７１に接続する構成とする。
【００３０】
しかして、ロ−タリバルブモータ６への駆動出力時間は運転中にタイマ設定スイッチ７２を操作することにより、外部タイマ７１の設定時間を増減変更することができて、前記方法の欠点を解消することができる。次に、図１３乃至図１５に示す実施例について説明する。自動精米装置における作業料金の変更装置の改良に関するものである。
【００３１】
従来装置は、図１３に示すように、制御部２０の入力部にはセンサ類，スイッチ類を接続すると共に、料金選択スイッチ７３を設け、制御部２０の出力部には、アクチュエータ類，ロ−タリバルブモ−タ６を接続した構成である。しかして、料金選択スイッチ７３がＯＮの場合には、例えば、ロ−タリバルブモータ６の駆動時間を１１５秒とし、ＯＦＦの場合には、１００秒に設定するものである。従って、設定時間の種類が多いと変更入力部を多く必要とし、また、現在の設定時間や変更設定時間が分かりにくいという欠点があった。そこでこの実施例はこのような欠点を解消しようとするものである。
【００３２】
図１４に示すように、制御部２０の入力部には、スイッチ類，センサ類を接続すると共に、時間変更スイッチ７４及び料金設定スイッチ７５を接続し、出力部にはアクチュエータ，ロ−タリバルブモータ６を接続すると共に、表示器７６を接続している。しかして、図１５に示すように、料金変更スイッチ７４をＯＮすると、駆動時間変更モードに移行し、表示器７６には例えば単位料金１００円に対する現在の駆動設定時間１００秒が表示され、次いで、時間変更スイッチ７４をＯＮすると、現在の駆動設定時間から昇順あるいは降順で駆動設定時間が順次変更（あるいは、５秒，１０秒単位で順次変更してもよい。）されて表示され、表示器７６に新たに設定しようとする時間が表示されると、料金設定スイッチ７５をＯＦＦする。すると、新たな設定時間に変更されて、時間変更モードは終了する。
【００３３】
前記のように表示器７６に表示しながら設定時間の変更ができるので、多くの設定時間があっても、入力ポートを少なくし、制御ソフトの変更をしないので簡単に変更でき、地域や季節に応じた時間設定をオペレータが自由に行なうことができる。
【図面の簡単な説明】
【図１】 自動精米装置のフロー図
【図２】 平面図
【図３】 操作盤の正面図
【図４】 ブロック図
【図５】 側面図
【図６】 要部の側面図
【図７】 要部の分解状態を示す正面図
【図８】 要部の分解状態を示す斜視図
【図９】 要部の側面図、正面図
【図１０】 側面図、斜視図
【図１１】 ブロック図
【図１２】 ブロック図
【図１３】 ブロック図
【図１４】 ブロック図
【図１５】 フローチャート
【符号の説明】
１…建屋、２…仕切壁、３…客室、４…機械室、５…投入ホッパ、６…ロ−タリバルブモータ、７…ロ−タリバルブ、８…石抜昇降機、１４…石抜き機、１５…精米昇降機、１６…精米機、１７…白米タンク、１８…糠袋取出サイクロン、１８ａ…客室取出サイクロン、１８ｂ…糠シュ−ト、１９…糠ラセン筒、２０…制御部、２１…自動・手動切替スイッチ、２２…コインセンサ、２３…もち選択スイッチ、２４…上白精白スイッチ、２５…標準精白スイッチ、２６…８分精白スイッチ、２９…ロータリバルブセンサ、３０…精米回転センサ、３１…ビルバリデータ、３２…コインメック、３３…コイン投入口、３４…料金表示部、３５…返却口、３６…操作盤、３７…石排出シャッタ、３８…玄米タンク、３９…精米機モータ、４２…玄米センサ、４３…精米機負荷電流センサ、５０…糠排出筒、５１…糠取出ホッパ、５２…分岐ケース、５３…糠貯溜筒、５４…糠取出筒、５５…内側分岐筒、５５ａ…分岐開口部（一方）、５５ｂ…分岐開口部（他方）、５６…軸、５７…カップリング、５８…モータ、５９…蓋、６０…弧状分岐ケース、６０ａ…円弧状側面部、６１…糠排出開口部、６２…貯溜開口部、６３…取出開口部、６４…切替弁、６５…軸支部、６６…円弧面部、６７…糠袋、６８…糠流下筒、６９…センサパイプ、７０…変速ユニット、７１…外部タイマ、７２…タイマ設定スイッチ、７３…料金選択スイッチ、７４…時間変更スイッチ、７５…料金設定スイッチ、７６…表示器。
【図１】
0003804288.tif 000002
【図２】
0003804288.tif 000003
【図３】
0003804288.tif 000004
【図４】
0003804288.tif 000005
【図５】
0003804288.tif 000006
【図６】
0003804288.tif 000007
【図７】
0003804288.tif 000008
【図８】
0003804288.tif 000009
【図９】
0003804288.tif 000010
【図１０】
0003804288.tif 000011
【図１１】
0003804288.tif 000012
【図１２】
0003804288.tif 000013
【図１３】
0003804288.tif 000014
【図１４】
0003804288.tif 000015
【図１５】
0003804288.tif 000016